(57)【特許請求の範囲】
【請求項１】
複数の略同一外径の容器が上下に積み重なり一体化される積み重ね式弁当箱において、前記容器の上部開口に蓋を閉じた状態で、上下の容器を着脱自在に嵌合し、
最上部にある前記容器に、下方に向かって開口して前記最上部の容器を覆うカップ状の被せ容器を着脱自在に嵌合したことを特徴とする積み重ね弁当箱。
【請求項２】
前記蓋は前記上部開口に押し込まれて嵌合し、前記複数の容器の上部開口に同様な前記蓋が設けられていることを特徴とする請求項１記載の積み重ね弁当箱。
【請求項３】
下の容器の上部と上の容器の下部を嵌合することにより、前記上の容器の底部が前記下の容器の蓋を下方に押圧して、該下の容器の蓋を前記下の容器の上部開口に押し込んで嵌合するように構成したことを特徴とすることを請求項２記載の積み重ね弁当箱。
【請求項４】
前記被せ容器の外側に設けられた持ち手を備えることを特徴とする１〜３のいずれか１項に記載の積み重ね弁当箱。
【発明の詳細な説明】
【技術分野】
【０００１】
本発明は、積み重ね弁当箱に関するものである。
【背景技術】
【０００２】
重箱のように弁当箱を積み重ねただけでは、安定性が悪く、持ち運びときに弁当箱が倒れ、内容物がこぼれたり、偏ったりする問題があった。
【先行技術文献】
【特許文献】
【０００３】
【特許文献１】特開平１０−３２８００５号公報
【発明の概要】
【発明が解決しようとする課題】
【０００４】
従来技術の問題を解決する手段として、螺合により積み重ねた弁当箱同士を一体化させることで、安定性を増し倒れたりすることを防ぐことができる。
【０００５】
しかし、螺子による弁当箱の一体化を行ったときに、弁当箱外径と積み重ね高さに対する螺合高さの比率を一定以下では十分な連結強度を得ることができなかった。
【０００６】
解決しようとする問題点は、容器を螺合により積み重ねる積み重ね弁当箱において、螺子のかかり高さを規制することで全体の美観を損なわず、連結部の強度を向上させる点である。
【課題を解決するための手段】
【０００７】
請求項１の発明は、複数の略同一外径の容器が上下に積み重なり一体化される積み重ね式弁当箱において、前記容器の上部開口を蓋により閉じた状態で、上下の容器を着脱自在に嵌合したことを特徴とする積み重ね弁当箱である。
【０００８】
請求項２の発明は、前記蓋は前記上部開口に押し込まれて嵌合し、前記複数の容器の上部開口に同様な前記蓋が設けられていることを特徴とする請求項１記載の積み重ね弁当箱である。
【０００９】
請求項３の発明は、下の容器の上部と上の容器の下部を嵌合することにより、前記上の容器の底部が前記下の容器の蓋を下方に押圧して、該下の容器の蓋を前記下の容器の上部開口に押し込んで嵌合するように構成したことを特徴とすることを請求項２記載の積み重ね弁当箱である。
【００１０】
請求項１の発明は、最上部にある前記容器に、下方に向かって開口して前記最上部の容器を覆うカップ状の被せ容器を着脱自在に嵌合したことを特徴とする請求項１〜３のいずれか１項に記載の積み重ね弁当箱である。
【００１１】
請求項４の発明は、前記被せ容器の外側に設けられた持ち手を備えることを特徴とする１〜３のいずれか１項に記載の積み重ね弁当箱である。
【発明の効果】
【００１２】
請求項１の発明によれば、容器の上部開口を蓋により閉じた状態で、上下の容器を着脱自在に嵌合することができる。
【００１３】
請求項２の発明によれば、上部開口に蓋が押し込まれて嵌合し、また、複数の容器が同様の蓋を備える。
【００１４】
請求項３の発明によれば、上の容器の底部が下の容器の蓋に当接することで押し込まれる。
【００１５】
請求項１の発明によれば、最上部の容器をカップ状の被せ容器により覆うことができる。
【００１６】
請求項４の発明によれば、持ち手を備える。
【図面の簡単な説明】
【００１７】
【図１】本発明の実施例１を示す縦断面図である。
【図２】同容器、蓋及び被せ容器の分解斜視図ある。
【図３】同積み重ね状態の容器、弁当箱ケースの分解斜視図である。
【図４】本発明の実施例２を示す縦断面図である。
【発明を実施するための形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１９】
図１〜３は実施例１を示しており、実施例の場合は、上下方向の中心軸線１に沿って下側から積み重ねられる下段の容器２、第一の容器たる中段の容器３、最上部で第二の容器となる上段の容器４及びこの上段の容器４に上方から被さる被せ容器５を備え、これらは積み重なった状態で弁当箱収容ケース６に収容されている。
【００２０】
下段の容器２の下段の上部開口７に下段の蓋８が着脱自在に設けられている。同様に、中段の容器３の中段の上部開口９、上段の容器４の上段の上部開口10に、中段の蓋11、上段の蓋12が着脱自在に設けられている。
【００２１】
前記下段の容器２の容器本体２Ａは、中心軸線１を中心とした外径Ｗ、内径Ｘ、深さＤを有する有底円筒形であって、下段の上部開口７は、内径Ｘを保ったまま外径Ｗより僅かに小径に形成され外周に下段の雄螺子部13が形成された短円筒状の下段雄螺子筒14が中心軸線１に沿って設けられている。そして下段の上部開口７に着脱自在に設けられる下段の蓋８は、下段の上部開口７の上端面に下面の縁側が当接する円板部15と、この円板部15の下面において下段の上部開口７に嵌合するように側壁16が下方に延び、その外周状に溝16Ａをなし、この溝16Ａに蓋パッキン17を備えている。そして、この下段の蓋８の上面は円錐状に形成されて中心軸線１上にある中心部とその縁側が、それら中心部と縁側との中間箇所よりも僅かに高く配置されて、これら上面の中心部と縁側によって押し込み用の押圧受け部18，19が形成されるようになっている。
【００２２】
前記中段の容器３も、下段の容器２と同様に外径Ｗ、内径Ｘ、深さＥ（不等号記号で示すＥ＜Ｄ）を有する有底円筒形の容器本体３Ａを有し、その中段の上部開口９の外周に中段の雄螺子部20が形成された中段の雄螺子筒21が設けられている。中段の上部開口９に下段の蓋８と同様な中段の蓋11が設けられている。さらに、中段の容器３の下部に、外径Ｗを保ったまま内周に中段の雌螺子部22を形成した短円筒状の中段の雌螺子筒部23を設ける。中段の雌螺子部22に下段の雄螺子部13が螺合して、下段の容器２と中段の容器３は着脱自在に設けられている。
【００２３】
前記上段の容器４の有底円筒形の本体４Ａは、外径Ｙ、内径Ｘ、深さＥを有するものであって、外径Ｙは、被せ容器５が外径Ｗとなるために、外径Ｗより小径に形成されている（Ｗ＞Ｙ）ものであって、本体４Ａの外周の下部側に上段の雄螺子部24が設けられる。さらに、本体４Ａの下部に段部25を介して外径Ｗを有し内周に上段の雌螺子部26が形成された上段雌螺子筒27が設けられている。そして、上段の雌螺子部26に中段の雄螺子部20が螺合して、中段の容器３と上段の容器４は着脱自在になっている。また、上段の上部開口10に下段の蓋８と同様な上段の蓋12が設けられている。
【００２４】
前記被せ容器５は持ち手付きカップ状であって、外径Ｗ、深さＥよりも僅かに深い本体５Ａは、上段の容器４に被せた状態では天面となり使用時には飲料を溜めるための底面部材28と、この底面部材28より立設する周面部材29とを備え、周面部材29の外側に持ち手30が設けられ、被せ容器５を上段の容器４に被せたときに周面部材29の先端部29Ａが段部25に係止されるようになっている。持ち手30は正面がコ字型であって上下端が周面部材29の上下に配置されている。そして、周面部材29の内周面に被せ容器５の雌螺子部31が形成されており、この雌螺子部31は上段の雄螺子部24に螺合して、被せ容器５は上段の容器４に着脱自在に設けられている。そして、被せ容器５を上段の容器４に被せた状態で周面部材29と上段の容器４の周面に空気断熱層32が形成されるように、被せ容器５の内周面の内径Ｚは、上段の容器４の外径Ｙに空気断熱層32の厚みＦを加えた大きさになっている（Ｗ＞Ｚ＝Ｙ＋２Ｆ＞Ｙ＞Ｘ）。
【００２５】
さらに、中段の容器３における中段の雄螺子筒21の全高、すなわち螺合高さをＨｏとし、中段の容器３の外径をＷとしたとき、Ｗ／３＞Ｈｏ＞Ｗ／８に形成される。さらに、螺合部高さＨｏと積み重ね状態の中段の容器３、上段の容器４及び被せ容器５を合わせた全体の高さをＨｔとしたとき、Ｈｔ／５＞Ｈｏ＞Ｈｔ／１２に形成されている。
【００２６】
また、下段の容器２における下段の雄螺子筒14の全高、すなわち螺合高さをＨｏ´とし、下段の容器２、中段の容器３の外径をＷとしたとき、Ｗ／３＞Ｈｏ´＞Ｗ／８に形成される。さらに、螺合部高さＨｏ´と積み重ね状態の下段の容器２、中段の容器３を合わせた全体の高さをＨｔ´としたとき、Ｈｔ´／５＞Ｈｏ´＞Ｈｔ´／１２に形成されている。
【００２７】
そして、一体的に積み重ねた下段の容器２、中段の容器３、上段の容器４及び上段の容器４に被せる被せ容器５を収容する布製の弁当箱収容ケース６は、平面が楕円形であって有底でケース上部開口33を有するケース本体34と、ケース上部開口33をファスナー35を介して着脱自在に覆うケース蓋36とを備え、ケース蓋36には持ち手バンド37が設けられている。そして、弁当箱収容ケース６内における持ち手30の下方には縦長な空洞部38が形成されており、この空洞部38の脇には、実施例では箸39を収容した箸ケース40が縦向きに収容され、空洞部38には、布や紙製ｎおしぼり41や、ふりかけ、或いは小分けした調味料容器などを収容してもよい。
【００２８】
次に前記構成についてその作用を説明する。下段の容器２、中段の容器３、上段の容器４にそれぞれ内容物を収容した後、それぞれ下段の蓋８、中段の蓋11、上段の蓋12により下段の上部開口７、中段の上部開口９、上段の上部開口10を閉じる。次に下段の雄螺子部13と中段の雌螺子部22を螺合することで、下段の容器２と中段の容器３を連結する。この際、中段の容器３の底部が下段の蓋８の上面の中心部と縁側によって形成される押し込み用の押圧受け部18，19を下方に押圧して、下段の上部開口７の上端に下段の蓋８の縁側の下面が係止するまで、下段の蓋８は下段の上部開口７に落とし込まれる。尚、他の蓋11，12も同様となる。そして、中段の雄螺子部20と上段の雌螺子部26を螺合することで、中段の容器３と上段の容器４を連結する。
【００２９】
さらに、上段の雄螺子部24と雌螺子部31を螺合することで、上段の容器４と被せ容器５を連結する。この際、被せ容器５の底面部材28が上段の蓋12の上面の中心部と縁側によって形成される押し込み用の押圧受け部18，19を下方に押圧して、上段の蓋12は上段の上部開口10に落とし込まれる。
【００３０】
次に、一体的に連結された下段の容器２、中段の容器３、上段の容器４及び被せ容器５を、ケース上部開口33を通してケース本体34に挿入する。この際、空洞部38の脇に箸ケース40、空洞部38におしぼり41などを収容する。そして、ケース蓋36を閉じて、持ち手バンド37を握って持ち運びする。この持ち運びの際、上段の容器４の外側には被せ容器５によって空気断熱層32が配置されているので、上段の容器４に収容された内容物を保温することができる。
【００３１】
そして、この持ち運びの際に、下段の容器２上部の螺合高さをＨｏとし、中段の容器３及び被せ容器５の外径をＷとしたとき、Ｗ／３＞Ｈｏ＞Ｗ／８に形成される。さらに、中段の容器３の上部の螺合部高さＨｏと、積み重ね状態の中段の容器３と上段の容器４と被せ容器５を合わせた全体の高さをＨｔとしたとき、Ｈｔ／５＞Ｈｏ＞Ｈｔ／１２に形成されていることで、螺合のための長さを確保でき、内容物を収容して積み重ねた状態での連結状態を向上することができる。尚、螺合高さＨｏが、Ｗ／３より大きい場合は高さＨｏが無用に大きくなり、一方Ｗ／８より小さい場合には、強度が低下する。さらに、螺合高さＨｏが、Ｈｔ／５より大きい場合は高さＨｏが無用に大きくなり、一方Ｈｔ／１２より小さい場合には、強度が低下する。尚、下段の容器２と中段の容器３の場合を同様である。
【００３２】
そして、食するときは、一体化された下段の容器２などを弁当箱収容ケース６より抜き取り、それぞれの螺合状態を解除して、被せ容器５を取り外してカップとして使用し、下段の容器２、中段の容器３、上段の容器４を取り外し、さらに下段の蓋８、中段の蓋11、上段の蓋12を取り外すものである。この際、弁当箱収容ケース６より箸ケース40やおしぼり41を引き出すと共に、箸ケース40を開いて箸39を取り出して使用するものである。
【００３３】
以上のように、前記実施例では、下段の容器２、中段の容器３と、該中段の容器３の上部に略同一外径Ｗとなって積み重ねる上段の容器４からなる積み重ね式なので、コンパクト化が可能になると共に、好みにより段数、すなわち弁当箱の数を決めることができる。また、下段の容器２に下段の雄螺子部13、中段の容器３に中段の雄螺子部20、中段の雌螺子部22、上段の容器４に上段の雌螺子部26を設けて、互いに螺合により着脱自在に一体化されることで、弁当箱の容器を積み重ねただけでは安定性が悪く、持ち運び時に弁当箱が倒れ、内容物がこぼれたり、偏ったりする問題があったが、螺合により下段の容器２、中段の容器３、上段の容器４を一体化させることで安定性を増し、倒れたりすることを防ぐことができる。
【００３４】
しかも、中段の容器３の雄螺子筒21における螺合高さをＨｏとし、下段の容器２及び中段の容器３の外径をＷとしたとき、Ｗ／３＞Ｈｏ＞Ｗ／８に形成され、かつ、中段の容器３の雄螺子筒21における螺合部高さＨｏと、積み重ね状態の中段の容器３と上段の容器４と被せ容器５を合わせた全体の高さをＨｔとしたとき、Ｈｔ／５＞Ｈｏ＞Ｈｔ／１２であることによって、螺子による弁当箱の一体化を行ったときに、積み重ねによる落下等の衝撃に対する強度が不足するおそれがあったが、上述のように外径Ｗと、積み重ね高さ（全体の高さ）Ｈｔに対する螺合部高さＨｏの比率をある一定以上にすることで、十分な嵌合強度を得ることができる。さらに、螺子のかかり高さを規制することで全体の美観を損なわず、連結部の強度を向上させることができる。尚、下段の容器２と中段の容器３の場合も同様である。
【００３５】
また、下段の容器２、中段の容器３及び上段の容器４を３段に積み重ねるように複数段積み重ねることによって、複数種類の内容物を分けて収容することができると共に、好みにより段数、すなわち弁当箱の数を決めることができる。
【００３６】
さらに、中段の容器３の上部開口９に中段の蓋11が設けられ、該中段の蓋11の外周の側壁16に止水用の蓋パッキン17が設けられ、かつ該中段の蓋11には押し込み用の押圧受け部18，19が設けられているので、中段の蓋11をしっかり嵌めないと内容物が漏れ出るおそれがあったが、押圧受け部18，19を設けたことによって、螺合による中段の容器３と上段の容器４との一体化を行う際に、上段の容器４の底で中段の蓋11に当接することで、略水平に矯正しながら押し込み蓋パッキン17により止水を実現させることができる。
【００３７】
また、上段の容器４に、下方に向かって開口して上段の容器４を覆うカップ状の被せ容器５を着脱自在に嵌合し、上段の容器４と被せ容器５の間に空気断熱層32を有することによって、上段の容器４の本体４Ａは薄肉（厚み（Ｙ−Ｘ）／２）に形成されているにもかかわらず、肉厚（厚み（Ｗ―Ｘ）／２）に形成されている下段の容器２の本体２Ａ、中段の容器３の本体３Ａ（厚み（Ｗ−Ｘ）／２）と同様に外部への熱伝導を抑え、保温効果を増すことができる。
【００３８】
さらに、下段の容器２の本体２Ａと中段の容器３の本体３Ａは、同一外径Ｗとなって積み重ねられ、被せ容器５の外径は、下段の容器２の本体２Ａ、中段の容器３の本体３Ａのいずれの外径とも略同一であることによって、円柱形となった積み重ね時に周面に凹凸はなくコンパクト化を図ることができる。
【００３９】
しかも、被せ容器５の外周に持ち手30が設けられることで、被せ容器５をカップとして利用できる。被せ容器５及び積み重ねられた前記容器２，３，４は、これらを遊挿する弁当箱収容ケース６に収容され、かつ該弁当箱収容ケース６内の持ち手30真下と弁当箱収容ケース６の内底部との間に空洞部38を設けたことにより、この空洞部38におしぼり41や小分けされたふりかけ、調味料などを収納することができる。
【実施例２】
【００４０】
図４は実施例２を示しており、前記実施例１と同一部分には同一符号を付し、その詳細な説明を省略する。実施例２は、下段の容器３´に上段の容器４を重ねた二段式のものであり、このような二段式の弁当箱であっても、上述のように螺合高さをＨｏ´´は、Ｗ´´／３＞Ｈｏ´´＞Ｗ´´／８、かつＨｔ´´／５＞Ｈｏ´´＞Ｈｔ´´／１２に形成されている。
【００４１】
このような２段重ねのものであっても、実施例１と同様な作用効果を奏することができる。
【産業上の利用可能性】
【００４２】
以上のように本発明に係る積み重ね弁当箱は、各種の用途に適用できる。
【符号の説明】
【００４３】
２  下段の容器
３  中段の容器（第一の容器）
４  上段の容器（第二の容器）
５  被せ容器
６  弁当箱収容ケース
７  上部開口（下段の容器の上部開口）
８  蓋（下段の容器の蓋）
９  上部開口（第一の容器の上部開口）
10  上部開口（第二の容器の上部開口）
11  蓋（第一の容器の蓋）
12  蓋（第二の容器の蓋）
17  蓋パッキン
18，19  押圧受け部
20  中段の雄螺子部
21  雄螺子筒
26  上段の雌螺子部
30  持ち手
32  空気断熱層
38  空洞部
Ｈｏ  螺合高さ
Ｈｔ  高さ
Ｗ  外径
【図１】
0005510516.tif 000002
【図２】
0005510516.tif 000003
【図３】
0005510516.tif 000004
【図４】
0005510516.tif 000005